(57)【要約】【課題】利用者の過去の行動と広告配信者の所望の広告配信時期との時間間隔等に依らずに、所望の時期に利用者の過去の行動に応じて広告を配信できるようにする。【解決手段】行動情報登録手段２５２は、携帯端末から利用者識別情報および行動情報を受信したときに、その利用者識別情報および行動情報を行動情報記憶手段２５１に記憶させる。条件記憶手段２５３は、広告の配信対象とする利用者を特定するための行動情報に関する条件と、行動情報がその条件を満たしている利用者の利用者識別情報の検索日時とを対応付けて記憶する。広告配信条件登録手段２０３は、条件および検索日時を条件記憶手段２５３に記憶させる。利用者検索手段２５５は、検索日時となったときに、行動情報がその検索日時に対応する条件を満たしている利用者の利用者識別情報を行動情報記憶手段２５１から検索する。【選択図】図１
2009134361.tif 000002
【特許請求の範囲】
【請求項１】
携帯端末の利用者が当該携帯端末を使用した記録を示す行動情報と前記利用者の利用者識別情報とを記憶する行動情報記憶手段と、
携帯端末から利用者識別情報および行動情報を受信したときに、前記利用者識別情報および前記行動情報を前記行動情報記憶手段に記憶させる行動情報登録手段と、
広告の配信対象とする利用者を特定するための行動情報に関する条件と、行動情報が前記条件を満たしている利用者の利用者識別情報の検索日時とを対応付けて記憶する条件記憶手段と、
前記条件記憶手段に前記条件と前記検索日時とを対応付けて記憶させる条件登録手段と、
前記検索日時となったときに、行動情報が当該検索日時に対応する条件を満たしている利用者の利用者識別情報を行動情報記憶手段から検索する利用者検索手段と、
前記利用者検索手段が検索した利用者識別情報が示す利用者の携帯端末に広告を送信する広告送信手段とを備える
ことを特徴とする広告配信装置。
【請求項２】
行動情報登録手段は、利用者識別情報および行動情報を行動情報記憶手段に記憶させるときに、現在までに行動情報記憶手段に記憶させることとなった前記利用者識別情報と前記行動情報の組の重複回数とともに行動情報記憶手段に記憶させ、
利用者検索手段は、行動情報が条件を満たしている利用者の利用者識別情報を検索するときに、前記条件を満たす行動情報および利用者識別情報の組のうち、前記重複回数が多い組から優先的に利用者識別情報を検索する
請求項１に記載の広告配信装置。
【請求項３】
行動情報登録手段は、携帯端末から、利用者が当該携帯端末に対して行った行動内容と、当該行動が行われた時に関する情報と、当該行動が行われた場所に関する情報とを行動情報として受信し、利用者識別情報とともに前記行動内容、当該行動が行われた時に関する情報、および当該行動が行われた場所に関する情報を行動情報記憶手段に記憶させ、
条件登録手段は、行動情報に含まれる行動内容、当該行動が行われた時に関する情報、および当該行動が行われた場所に関する情報が満たすべき条件を条件記憶手段に記憶させる
請求項１または請求項２に記載の広告配信装置。
【請求項４】
行動情報登録手段は、携帯端末から、利用者が当該携帯端末に対して行った行動内容と、当該行動が行われた時刻と、当該行動が行われた地点の情報とを受信し、前記時刻を当該時刻が属する時間帯の情報に変換し、前記地点の情報を当該地点が属する領域の情報に変換し、利用者識別情報とともに前記行動内容、前記時間帯の情報および前記領域の情報を行動情報記憶手段に記憶させ、
条件登録手段は、行動情報に含まれる行動内容、当該行動が行われた時間帯、および当該行動が行われた領域が満足すべき条件を条件記憶手段に記憶させる
請求項１から請求項３のうちのいずれか１項に記載の広告配信装置。
【請求項５】
領域の情報は、行政管理庁告示第１４３号で定められた地域メッシュコードである
請求項４に記載の広告配信装置。
【請求項６】
携帯端末に対する行動が行われた地点の情報は緯度および経度であり、
行動情報登録手段は、緯度および経度に対して所定の演算を行って前記地域メッシュコードを算出する
請求項５に記載の広告配信装置。
【請求項７】
領域の情報と、領域の緯度および経度の範囲とを対応付けて記憶する領域情報記憶手段を備え、
行動情報登録手段は、携帯端末に対する行動が行われた地点に対応する領域の情報を領域情報記憶手段から検索することにより、領域の情報を特定する
請求項４または請求項５に記載の広告配信装置。
【請求項８】
行動情報登録手段は、携帯端末から一定時間毎にまとめて送信される利用者識別情報および行動情報を受信する
請求項１から請求項７のうちのいずれか１項に記載の広告配信装置。
【請求項９】
条件に合致する利用者に広告を配信する広告配信装置から広告を受信する携帯端末であって、
利用者が行った行動内容を収集する行動内容収集手段と、
利用者が行動を行った時を特定する時間特定手段と、
利用者が行動を行った場所を特定する場所特定手段と、
利用者識別情報を記憶する利用者識別情報記憶手段と、
前記利用者識別情報と、前記行動内容収集手段が収集した行動内容と、前記時間特定手段が特定した時と、前記場所特定手段が特定した場所とを、前記広告配信装置に送信する送信手段とを備える
ことを特徴とする携帯端末。
【請求項１０】
情報を記憶する記憶手段と、
前記行動内容収集手段が収集した行動内容と、前記時間特定手段が特定した時と、前記場所特定手段が特定した場所とを前記記憶手段に記憶させる情報蓄積手段とを備え、
送信手段は、前記記憶手段に記憶された情報を一定時間毎に利用者識別情報とともに送信する
請求項９に記載の携帯端末。
【請求項１１】
携帯端末と、
前記携帯端末に対して広告を送信する広告配信装置とを備え、
前記広告配信装置は、
携帯端末の利用者が当該携帯端末を使用した記録を示す行動情報と前記利用者の利用者識別情報とを記憶する行動情報記憶手段と、
携帯端末から利用者識別情報および行動情報を受信したときに、前記利用者識別情報および前記行動情報を前記行動情報記憶手段に記憶させる行動情報登録手段と、
広告の配信対象とする利用者を特定するための行動情報に関する条件と、行動情報が前記条件を満たしている利用者の利用者識別情報の検索日時とを対応付けて記憶する条件記憶手段と、
前記条件記憶手段に前記条件と前記検索日時とを対応付けて記憶させる条件登録手段と、
前記検索日時となったときに、行動情報が当該検索日時に対応する条件を満たしている利用者の利用者識別情報を行動情報記憶手段から検索する利用者検索手段と、
前記利用者検索手段が検索した利用者識別情報が示す利用者の携帯端末に広告を送信する広告送信手段とを有し、
前記携帯端末は、
利用者が行った行動内容を収集する行動内容収集手段と、
利用者が行動を行った時を特定する時間特定手段と、
利用者が行動を行った場所を特定する場所特定手段と、
利用者識別情報を記憶する利用者識別情報記憶手段と、
前記利用者識別情報と、前記行動内容収集手段が収集した行動内容と、前記時間特定手段が特定した時と、前記場所特定手段が特定した場所とを行動情報として前記広告配信装置に送信する送信手段とを有する
ことを特徴とする広告配信システム。
【請求項１２】
行動情報登録手段は、利用者識別情報および行動情報を行動情報記憶手段に記憶させるときに、現在までに行動情報記憶手段に記憶させることとなった前記利用者識別情報と前記行動情報の組の重複回数とともに行動情報記憶手段に記憶させ、
利用者検索手段は、行動情報が条件を満たしている利用者の利用者識別情報を検索するときに、前記条件を満たす行動情報および利用者識別情報の組のうち、前記重複回数が多い組から優先的に利用者識別情報を検索する
請求項１１に記載の広告配信システム。
【請求項１３】
広告の配信対象とする携帯端末の利用者を特定するための利用者の行動情報に関する条件と、行動情報が前記条件を満たしている利用者の利用者識別情報の検索日時とを対応付けて条件記憶手段に記憶させ、
携帯端末から当該携帯端末の利用者の利用者識別情報および当該利用者が前記携帯端末を使用した記録を示す行動情報を受信したときに、前記利用者識別情報および前記行動情報を行動情報記憶手段に記憶させ、
前記検索日時となったときに、行動情報が当該検索日時に対応する条件を満たしている利用者の利用者識別情報を行動情報記憶手段から検索し、
検索した利用者識別情報が示す利用者の携帯端末に広告を送信する
ことを特徴とする広告配信方法。
【請求項１４】
利用者識別情報および行動情報を行動情報記憶手段に記憶させるときに、現在までに行動情報記憶手段に記憶させることとなった前記利用者識別情報と前記行動情報の組の重複回数とともに行動情報記憶手段に記憶させ、
行動情報が条件を満たしている利用者の利用者識別情報を検索するときに、前記条件を満たす行動情報および利用者識別情報の組のうち、前記重複回数が多い組から優先的に利用者識別情報を検索する
請求項１３に記載の広告配信方法。
【請求項１５】
利用者が携帯端末に対して行う行動内容、当該行動が行われた時に関する情報、および当該行動が行われた場所に関する情報が満たすべき条件を条件記憶手段に記憶させ、
携帯端末から、利用者が当該携帯端末に対して行った行動内容と、当該行動が行われた時に関する情報と、当該行動が行われた場所に関する情報とを行動情報として受信し、利用者識別情報とともに前記行動内容、当該行動が行われた時に関する情報、および当該行動が行われた場所に関する情報を行動情報記憶手段に記憶させる
請求項１３または請求項１４に記載の広告配信方法。
【請求項１６】
携帯端末の利用者が当該携帯端末を使用した記録を示す行動情報と前記利用者の利用者識別情報とを記憶する行動情報記憶手段と、広告の配信対象とする利用者を特定するための行動情報に関する条件と、行動情報が前記条件を満たしている利用者の利用者識別情報の検索日時とを対応付けて記憶する条件記憶手段とを備えたコンピュータに搭載される広告配信プログラムであって、
前記コンピュータに、
携帯端末から利用者識別情報および行動情報を受信したときに、前記利用者識別情報および前記行動情報を前記行動情報記憶手段に記憶させる行動情報登録処理、
前記条件記憶手段に前記条件と前記検索日時とを対応付けて記憶させる条件登録処理、
前記検索日時となったときに、行動情報が当該検索日時に対応する条件を満たしている利用者の利用者識別情報を行動情報記憶手段から検索する利用者検索処理、および
前記利用者検索処理で検索した利用者識別情報が示す利用者の携帯端末に広告を送信する広告送信処理
を実行させるための広告配信プログラム。
【請求項１７】
コンピュータに、
行動情報登録処理で、利用者識別情報および行動情報を行動情報記憶手段に記憶させるときに、現在までに行動情報記憶手段に記憶させることとなった前記利用者識別情報と前記行動情報の組の重複回数とともに行動情報記憶手段に記憶させ、
利用者検索処理で、行動情報が条件を満たしている利用者の利用者識別情報を検索するときに、前記条件を満たす行動情報および利用者識別情報の組のうち、前記重複回数が多い組から優先的に利用者識別情報を検索させる
請求項１６に記載の広告配信プログラム。
【請求項１８】
コンピュータに、
行動情報登録処理で、携帯端末から、利用者が当該携帯端末に対して行った行動内容と、当該行動が行われた時に関する情報と、当該行動が行われた場所に関する情報とを行動情報として受信したときに、利用者識別情報とともに前記行動内容、当該行動が行われた時に関する情報、および当該行動が行われた場所に関する情報を行動情報記憶手段に記憶させ、
条件登録処理で、行動情報に含まれる行動内容、当該行動が行われた時に関する情報、および当該行動が行われた場所に関する情報が満たすべき条件を条件記憶手段に記憶させる
請求項１６または請求項１７に記載の広告配信プログラム。
【請求項１９】
利用者識別情報を記憶する利用者識別情報記憶手段を備え、条件に合致する利用者に広告を配信する広告配信装置から広告を受信する携帯型コンピュータに搭載される携帯端末用プログラムであって、
前記携帯型コンピュータに、
利用者が行った行動内容を収集する行動内容収集処理、
利用者が行動を行った時を特定する時間特定処理、
利用者が行動を行った場所を特定する場所特定処理、および
前記利用者識別情報と、前記行動内容収集処理で収集した行動内容と、前記時間特定処理で特定した時と、前記場所特定処理で特定した場所とを、前記広告配信装置に送信する送信処理
を実行させるための携帯端末用プログラム。
【請求項２０】
情報を記憶する記憶手段を備えた携帯型コンピュータに、
行動内容収集処理で収集した行動内容と、時間特定処理で特定した時と、場所特定処理で特定した場所とを前記記憶手段に記憶させる情報蓄積処理を実行させ、
送信処理では、前記記憶手段に記憶された情報を一定時間毎に利用者識別情報とともに送信させる
請求項１９に記載の携帯端末用プログラム。
【発明の詳細な説明】
【技術分野】
【０００１】
本発明は、広告配信装置、携帯端末、広告配信システム、広告配信方法、広告配信プログラムおよび携帯端末用プログラムに関し、特に、定めた条件に合致する行動をすると予測される利用者、すなわち過去の行動履歴から、定めた行動をする確率が高い利用者に広告を配信可能とするための広告配信装置、携帯端末、広告配信システム、広告配信方法、広告配信プログラムおよび携帯端末用プログラムに関する。
【背景技術】
【０００２】
位置を活用した広告を配信するシステムとして、広告の配信場所に訪れたという利用者の行動に応じて、その利用者の携帯端末に広告情報を提供するシステムがある。例えば、携帯電話機のＧＰＳ（Global Positioning System ）機能を使い、携帯電話機の利用者が居る場所周辺の広告情報を配信するサービスがある。また、例えば、カーナビゲーションシステムと車両の現在位置情報を連動させ、車両が走行している場所近辺の店舗等の広告情報を車両に配信するサービス等がある。
【０００３】
また、利用者の行動を加味した広告配信技術として、カーナビゲーションシステムの移動履歴や旅行スケジュールを利用し、利用者の行動を予測して広告を配信する技術がある。例えば、特許文献１には、カーナビゲーションシステムにおいて、エンジン起動等のイベント検出時に、現在までの移動経路と蓄積された移動情報履歴を参照して車の行き先を予測し、予測された行き先に関する広告等の情報を利用者に提示する情報提供方法が記載されている。また、特許文献２には、特定された一人または複数人の旅行スケジュールを参照して、その旅行スケジュールの日時または場所に関して予め登録されている広告情報または参考情報を、その特定された人の端末に自動的に配信する情報配信方法が記載されている。
【０００４】
また、特許文献３には、所定の条件に該当するユーザを検索し、その検索結果に基づいて、そのユーザが所有する情報処理装置にサービスを提供する情報処理システムが記載されている。
【０００５】
また、特許文献４には、携帯情報端末保持者の行動パターンを収集してマーケッティング情報を得るマーケッティング情報取得方法が記載されている。
【０００６】
また、昭和４８年７月１２日の行政管理庁告示第１４３号「統計に用いる標準地域メッシュ及び標準地域メッシュ・コード」で定められた基準地域メッシュのコードを緯度および経度から求める方法が、非特許文献１に記載されている。
【０００７】
【特許文献１】特開２００６−２１５０４１号公報（段落０００９等）
【特許文献２】特開２００２−４１６１２号公報（段落０００６等）
【特許文献３】特開２００３−１２２７８９号公報（段落０００９等）
【特許文献４】特開２００４−２６４９７２号公報（段落００２３−００５９）
【非特許文献１】“地域メッシュ統計の概要”、［ｏｎｌｉｎｅ］、［平成１９年１１月９日検索］、インターネット＜URL: http://www.stat.go.jp/data/mesh/pdf/gaiyo1.pdf＞
【発明の開示】
【発明が解決しようとする課題】
【０００８】
広告の配信場所に訪れたという利用者の行動に応じて、その利用者の携帯端末に広告情報を提供するシステムでは、広告の配信場所を訪れた利用者にしか広告を配信できない。
【０００９】
また、特許文献１や特許文献２に記載された技術は、時間的に近い行動に即した情報を提供するものであるので、利用者の過去の行動と広告配信者の所望の広告配信時期との時間間隔が大きい場合には適用することができなかった。例えば、朝の通勤中にランチに関する情報を配信したり、金曜日に週末のイベントに関する情報を提供したりすることはできなかった。
【００１０】
そこで、本発明は、携帯端末の利用者が広告配信時に所定の場所に訪れているか否かに依らず、また、利用者の過去の行動と広告配信者の所望の広告配信時期との時間間隔に依らずに、所望の時期に利用者の過去の行動に応じて広告を配信可能とする広告配信装置、携帯端末、広告配信システム、広告配信方法、広告配信プログラムおよび携帯端末用プログラムを提供することを目的とする。
【課題を解決するための手段】
【００１１】
本発明の広告配信装置は、携帯端末の利用者が当該携帯端末を使用した記録を示す行動情報と前記利用者の利用者識別情報とを記憶する行動情報記憶手段と、携帯端末から利用者識別情報および行動情報を受信したときに、前記利用者識別情報および前記行動情報を前記行動情報記憶手段に記憶させる行動情報登録手段と、広告の配信対象とする利用者を特定するための行動情報に関する条件と、行動情報が前記条件を満たしている利用者の利用者識別情報の検索日時とを対応付けて記憶する条件記憶手段と、前記条件記憶手段に前記条件と前記検索日時とを対応付けて記憶させる条件登録手段と、前記検索日時となったときに、行動情報が当該検索日時に対応する条件を満たしている利用者の利用者識別情報を行動情報記憶手段から検索する利用者検索手段と、前記利用者検索手段が検索した利用者識別情報が示す利用者の携帯端末に広告を送信する広告送信手段とを備えることを特徴とする。
【００１２】
また、本発明の携帯端末は、条件に合致する利用者に広告を配信する広告配信装置から広告を受信する携帯端末であって、利用者が行った行動内容を収集する行動内容収集手段と、利用者が行動を行った時を特定する時間特定手段と、利用者が行動を行った場所を特定する場所特定手段と、利用者識別情報を記憶する利用者識別情報記憶手段と、前記利用者識別情報と、前記行動内容収集手段が収集した行動内容と、前記時間特定手段が特定した時と、前記場所特定手段が特定した場所とを、前記広告配信装置に送信する送信手段とを備えることを特徴とする。
【００１３】
また、本発明の広告配信システムは、携帯端末と、前記携帯端末に対して広告を送信する広告配信装置とを備え、前記広告配信装置が、携帯端末の利用者が当該携帯端末を使用した記録を示す行動情報と前記利用者の利用者識別情報とを記憶する行動情報記憶手段と、携帯端末から利用者識別情報および行動情報を受信したときに、前記利用者識別情報および前記行動情報を前記行動情報記憶手段に記憶させる行動情報登録手段と、広告の配信対象とする利用者を特定するための行動情報に関する条件と、行動情報が前記条件を満たしている利用者の利用者識別情報の検索日時とを対応付けて記憶する条件記憶手段と、前記条件記憶手段に前記条件と前記検索日時とを対応付けて記憶させる条件登録手段と、前記検索日時となったときに、行動情報が当該検索日時に対応する条件を満たしている利用者の利用者識別情報を行動情報記憶手段から検索する利用者検索手段と、前記利用者検索手段が検索した利用者識別情報が示す利用者の携帯端末に広告を送信する広告送信手段とを有し、前記携帯端末が、利用者が行った行動内容を収集する行動内容収集手段と、利用者が行動を行った時を特定する時間特定手段と、利用者が行動を行った場所を特定する場所特定手段と、利用者識別情報を記憶する利用者識別情報記憶手段と、前記利用者識別情報と、前記行動内容収集手段が収集した行動内容と、前記時間特定手段が特定した時と、前記場所特定手段が特定した場所とを行動情報として前記広告配信装置に送信する送信手段とを有することを特徴とする。
【００１４】
また、本発明の広告配信方法は、広告の配信対象とする携帯端末の利用者を特定するための利用者の行動情報に関する条件と、行動情報が前記条件を満たしている利用者の利用者識別情報の検索日時とを対応付けて条件記憶手段に記憶させ、携帯端末から当該携帯端末の利用者の利用者識別情報および当該利用者が前記携帯端末を使用した記録を示す行動情報を受信したときに、前記利用者識別情報および前記行動情報を行動情報記憶手段に記憶させ、前記検索日時となったときに、行動情報が当該検索日時に対応する条件を満たしている利用者の利用者識別情報を行動情報記憶手段から検索し、検索した利用者識別情報が示す利用者の携帯端末に広告を送信することを特徴とする。
【００１５】
また、本発明の広告配信プログラムは、携帯端末の利用者が当該携帯端末を使用した記録を示す行動情報と前記利用者の利用者識別情報とを記憶する行動情報記憶手段と、広告の配信対象とする利用者を特定するための行動情報に関する条件と、行動情報が前記条件を満たしている利用者の利用者識別情報の検索日時とを対応付けて記憶する条件記憶手段とを備えたコンピュータに搭載される広告配信プログラムであって、前記コンピュータに、携帯端末から利用者識別情報および行動情報を受信したときに、前記利用者識別情報および前記行動情報を前記行動情報記憶手段に記憶させる行動情報登録処理、前記条件記憶手段に前記条件と前記検索日時とを対応付けて記憶させる条件登録処理、前記検索日時となったときに、行動情報が当該検索日時に対応する条件を満たしている利用者の利用者識別情報を行動情報記憶手段から検索する利用者検索処理、および前記利用者検索処理で検索した利用者識別情報が示す利用者の携帯端末に広告を送信する広告送信処理を実行させることを特徴とする。
【００１６】
また、本発明の携帯端末用プログラムは、利用者識別情報を記憶する利用者識別情報記憶手段を備え、条件に合致する利用者に広告を配信する広告配信装置から広告を受信する携帯型コンピュータに搭載される携帯端末用プログラムであって、前記携帯型コンピュータに、利用者が行った行動内容を収集する行動内容収集処理、利用者が行動を行った時を特定する時間特定処理、利用者が行動を行った場所を特定する場所特定処理、および前記利用者識別情報と、前記行動内容収集処理で収集した行動内容と、前記時間特定処理で特定した時と、前記場所特定処理で特定した場所とを、前記広告配信装置に送信する送信処理を実行させることを特徴とする。
【発明の効果】
【００１７】
本発明によれば、携帯端末の利用者が広告配信時に所定の場所に訪れているか否かに依らず、また、利用者の過去の行動と広告配信者の所望の広告配信時期との時間間隔に依らずに、所望の時期に利用者の過去の行動に応じて広告を配信することができる。
【発明を実施するための最良の形態】
【００１８】
以下、本発明の実施形態を図面を参照して説明する。
図１は、本発明の実施形態の広告配信システムを示すブロック図である。本実施形態の広告配信システムは、携帯端末１００と、広告配信装置（以下、広告配信サーバと記す。）２００とを備える。携帯端末１００と広告配信サーバ２００とは、通信ネットワーク３００を介して接続される。図１では、１台の携帯端末１００を示しているが、携帯端末１００の台数は１台に限定されない。
【００１９】
携帯端末１００は、利用者が携帯端末１００を使用した記録を示す行動情報を広告配信サーバ２００に送信する。なお、利用者とは、携帯端末の利用者である。また、携帯端末１００は、広告配信サーバ２００から広告を受信したときにその広告を表示する。
【００２０】
広告配信サーバ２００は、携帯端末１００から受信する行動情報を記憶する。また、広告配信サーバ２００は、広告の配信対象とする利用者を特定するために用いる条件を保持している。この条件は、利用者の行動情報に関する条件である。また、広告配信サーバ２００は、行動情報が条件を満たしている利用者の利用者識別情報の検索日時を、条件と対応付けて保持する。その検索日時になると、広告配信サーバ２００は、行動情報が条件を満たしている利用者の利用者識別情報を検索し、その利用者識別情報が示す利用者の携帯端末に広告を送信する。
【００２１】
携帯端末１００は、行動情報送信手段１０１と、行動情報収集手段１０２と、広告表示手段１０３と、記憶装置１０４とを備える。
【００２２】
行動情報収集手段１０２は、利用者が携帯端末１００に対して行った行動情報を収集する。本実施形態では、行動情報が、利用者が携帯端末１００に対して行った行動内容と、その携帯端末１００への操作が行われた時に関する情報と、その操作が行われた場所に関する情報とを含む場合を例にして説明する。
【００２３】
行動情報収集手段１０２は、行動内容収集手段１０２ａと、時間特定手段１０２ｂと、場所特定手段１０２ｃと、情報蓄積手段１０２ｄとを備える。
【００２４】
行動内容収集手段１０２ａは、利用者が携帯端末１００に対して行った行動内容を収集する。行動内容収集手段１０２ａが収集する利用者の行動内容の例として、携帯端末を開ける操作、閉じる操作、電子メールの送信および受信、特定のＷｅｂページ（例えば所定の店舗のＷｅｂページ等）の閲覧、インターネットを介した商品等の購買等が挙げられるが、これらの行動に特定されるわけではない。
【００２５】
行動内容収集手段１０２ａが行動内容を収集する処理の例を説明する。
携帯端末を開ける操作、閉じる操作は、折り畳み式携帯電話機等のような開閉可能な端末装置で行われる操作である。この場合、例えば、開閉される携帯端末の２つの筐体の一方に磁石を設け、他方の筐体に磁力検出回路を設ければよい。そして、閉状態で磁石と磁力検出回路が対向するように磁石および磁力検出回路を配置し、行動内容収集手段１０２ａは、磁力検出回路が磁力を検出している状態から磁力を検出しない状態に移行したときに携帯端末を開ける操作が行われたと判定すればよい。また、磁力検出回路が磁力を検出しない状態から磁力を検出する状態に移行したときに携帯端末を閉じる操作が行われたと判定すればよい。行動内容収集手段１０２ａは、このようにして携帯端末の開閉操作を収集すればよい。
【００２６】
また、行動内容収集手段１０２ａは、例えば、予め定められた所定のＵＲＬによって特定されるＷｅｂページをＷｅｂサーバ（図示せず）から受信して表示したときに、Ｗｅｂページの閲覧が行われたを判定すればよい。
【００２７】
また、行動内容収集手段１０２ａは、例えば、所定のＷｅｂページ上で商品等を購入するための所定の操作が行われたときに商品の購買が行われたと判定すればよい。
【００２８】
上記の行動内容の収集方法は、例示であり、行動内容収集手段１０２ａは、他の方法で行動内容を収集してもよい。また、行動内容収集手段１０２ａは、携帯端末の開閉の判定、利用者が特定のＷｅｂページを閲覧したことの判定、利用者が所定の操作を行ったことの判定等を、携帯端末に常駐するアプリケーションソフトウェアに従って行ってもよい。
【００２９】
また、行動内容収集手段１０２ａは、例えば、テンキー等の入力装置を備え、その入力装置を介して利用者から行動内容を直接入力されてもよい。この行動内容の収集方法により、行動内容収集手段１０２ａは、利用者の任意の行動を収集できる。例えば、行動内容収集手段１０２ａは、通勤、食事等の任意の行動内容が入力装置に入力され、それらの行動内容を収集することができる。
【００３０】
また、行動内容収集手段１０２ａは、具体的な操作等を特定せずに「ある時にある場所にいる」ということを示す行動内容を収集してもよい。そして、行動内容収集手段１０２ａは、イベント発生時（利用者が行動を行ったとき）だけでなく、定期的に行動内容を収集してもよい。例えば、「ある時にある場所にいる」ことを示す行動内容を定期的に特定してもよい。
【００３１】
時間特定手段１０２ｂは、利用者による操作が行われた時に関する情報を特定する。例えば、時間特定手段１０２ｂは、行動内容収集手段１０２ａが行動内容を収集したときに、その時の時刻（日時であってもよい。）を、携帯端末１００が備えるタイマ（図示せず。）によって判定する。
【００３２】
場所特定手段１０２ｃは、利用者による操作が行われた場所に関する情報を収集する。場所特定手段１０２ｃは、例えば、ＧＰＳ（Global Positioning System ）アンテナを備える。そして、行動内容収集手段１０２ａが行動内容を収集したときに、場所特定手段１０２ｃは、ＧＰＳ衛星から信号を受信し、ＧＰＳ衛星との位置関係に基づいて現在位置（場所に関する情報）を算出する。この場所に関する情報は、例えば、緯度および経度で表される。以下、場所特定手段１０２ｃが緯度および経度を算出する場合を例にして説明する。
【００３３】
情報蓄積手段１０２ｄは、行動内容収集手段１０２ａが収集した行動内容、時間特定手段１０２ｂが特定した時刻、および場所特定手段１０２ｃが特定した緯度および経度を行動情報として記憶装置１０４に記憶させる。
【００３４】
行動情報送信手段１０１は、行動情報収集手段１０２が収集した行動情報を広告配信サーバ２００に送信する。すなわち、行動内容収集手段１０２ａが収集した行動内容、時間特定手段１０２ｂが特定した時刻、および場所特定手段１０２ｃが特定した緯度および経度を行動情報として広告配信サーバ２００に送信する。このとき、行動情報送信手段１０１は、携帯端末１００の利用者を識別するための利用者識別情報（以下、ユーザＩＤと記す。）を行動情報とともに広告配信サーバ２００に送信する。例えば、記憶装置１０４が予めユーザＩＤを記憶しておく。
【００３５】
行動情報送信手段１０１は、行動情報を以下に示すように送信する。既に説明したように、情報蓄積手段１０２ｄは、行動内容、時刻、緯度および経度を記憶装置１０４に記憶させる。この結果、行動内容が収集される毎に、行動情報送信手段１０１は、行動情報である行動内容、時刻、緯度および経度を記憶装置１０４に蓄積させていくことになる。行動情報送信手段１０１は、一定時間毎に、記憶装置１０４に記憶されている行動情報を広告配信サーバ２００に送信し、送信済となった行動情報を記憶装置１０４から削除する。
【００３６】
なお、行動情報送信手段１０１は、行動内容、時刻、緯度および経度が特定された時点で、それらの情報を行動情報として送信してもよい。ただし、通信ネットワーク３００や広告配信サーバ２００の負荷を軽減するために、行動情報送信手段１０１は、一定時間毎に記憶装置１０４に記憶されている行動情報を送信することが好ましい。
【００３７】
広告表示手段１０３は、広告配信サーバ２００から広告を受信すると、その広告を表示する。
【００３８】
行動情報送信手段１０１、行動内容収集手段１０２ａ、時間特定手段１０２ｂ、場所特定手段１０２ｃ、情報蓄積手段１０２ｄ、広告表示手段１０３は、例えば、プログラム（携帯端末用プログラム）に従って動作するＣＰＵによって実現されていてもよい。ＣＰＵが、携帯端末用プログラムに従ってコンテンツを表示する場合、ＰＣＵは、携帯端末１００が備えるＬＣＤ（Liquid Crystal Display）等の表示装置にコンテンツ等を表示させればよい。
【００３９】
広告配信サーバ２００は、行動情報抽象化手段２０１と、行動抽象化情報データベース記憶手段（以下、行動抽象化情報ＤＢ記憶手段と記す。）２０２と、広告配信条件登録手段２０３と、広告配信条件データベース記憶手段（以下、広告配信条件ＤＢ記憶手段と記す。）２０４と、配信管理手段２０５と、行動情報抽出手段２０６と、広告配信手段２０７とを備える。
【００４０】
行動抽象化情報ＤＢ記憶手段２０２は、行動情報とユーザＩＤとを記憶する記憶装置である。
【００４１】
行動情報抽象化手段２０１は、携帯端末１００の行動情報送信手段１０１からユーザＩＤおよび行動情報を受信したときに、その行動情報（行動内容、行動が行われた時および場所に関する情報）とユーザＩＤとを対応付けて行動抽象化情報ＤＢ記憶手段２０２に記憶させる。本実施形態では、行動情報抽象化手段２０１は、行動情報に含まれる時刻および場所に関する情報を抽象化してから行動抽象化情報ＤＢ記憶手段２０２に記憶させる。ここで、抽象化とは、時刻を、その時刻を含む時間帯の情報に変換し、場所の情報を、その場所を含む一定範囲の領域の情報に変換することである。すなわち、利用者が行動した時刻を、時間帯で表すように変換し、利用者が行動した地点を、一点ではなく領域で表すように変換することである。抽象化によって得られる領域の情報は、例えば、個々の領域を識別するための領域識別情報である。行動情報抽象化手段２０１は、時刻および場所を抽象化したのち、ユーザＩＤと、行動内容、行動が行われた時間帯、および行動が行われた領域の情報とを対応付けて行動抽象化情報ＤＢ記憶手段２０２に記憶させる。
【００４２】
また、携帯端末１００の時間特定手段１０２ｂが日時を特定し、行動情報送信手段１０１がその日時を行動情報に含めて送信してもよい。この場合、行動情報抽象化手段２０１は、その日時が示す時刻を時間帯に変更し、日付から曜日を特定して時間帯および曜日を行動抽象化情報ＤＢ記憶手段２０２に記憶させてもよい。
【００４３】
広告配信条件ＤＢ記憶手段２０４は、広告の配信対象とする利用者を特定するために用いる行動情報に関する条件を記憶する記憶装置である。本実施形態では、広告配信条件ＤＢ記憶手段２０４は、広告配信対象となる利用者を特定するための条件として、利用者が行った行動内容、行動が行われた時（具体的には時間帯）に関する情報、および行動が行われた場所（具体的には領域）に関する情報が満たすべき条件をを記憶する。広告配信条件ＤＢ記憶手段２０４は、条件だけでなく、行動情報が条件を満たしている利用者のユーザＩＤ（利用者識別情報）を行動抽象化情報ＤＢ記憶手段２０２から検索する検索日時も、条件と対応付けて記憶する。この検索日時は、条件を満たす行動情報があればその行動情報に対応する利用者に対して広告を送信する時期を意味している。また、本実施形態では、広告配信条件ＤＢ記憶手段２０４は、上述の検索日時および条件に対応付けて、広告も記憶する。
【００４４】
広告配信条件登録手段２０３は、検索日時、条件および広告を取得し、検索日時、条件および広告を対応付けて広告配信条件ＤＢ記憶手段２０４に記憶させる。例えば、広告配信条件登録手段２０３は、広告主の端末（図示せず。）からの要求に応じて、検索日時、条件および広告を入力するためのＷｅｂページを送信し、そのＷｅｂページに入力された検索日時、条件および広告を広告主の端末から受信する。そして、その検索日時、条件および広告を対応付けて広告配信条件ＤＢ記憶手段２０４に記憶させればよい。本実施形態では、広告配信条件登録手段２０３は、条件として、利用者が行った行動内容、行動が行われた時（具体的には時間帯）に関する情報、および行動が行われた場所（具体的には領域）に関する情報が満たすべき条件を広告主から取得し、広告配信条件ＤＢ記憶手段２０４に記憶させる。
【００４５】
配信管理手段２０５は、広告配信サーバ２００が備えるタイマ（図示せず。）によって、現在時刻が、広告配信条件ＤＢ記憶手段２０４に記憶されている検索日時になったか否かを判定する。配信管理手段２０５は、例えば、この判定を定期的に行ってもよい。現在時刻が検索日時になっていると判定したならば、配信管理手段２０５は、その検索日時に対応する条件およびその条件に対応する広告を広告配信条件ＤＢ記憶手段２０４から読み出し、その条件を行動情報抽出手段２０６に渡す。
【００４６】
行動情報抽出手段２０６は、配信管理手段２０５からその条件を取得すると、行動情報がその条件を満たしている利用者のユーザＩＤ（利用者識別情報）を行動抽象化情報ＤＢ記憶手段２０２に記憶されたユーザＩＤの中から検索する。具体的には、行動情報抽出手段２０６は、行動抽象化情報ＤＢ記憶手段２０２に記憶された行動情報の中から条件を満たす行動情報を検索し、その行動情報に対応するユーザＩＤを行動抽象化情報ＤＢ記憶手段２０２から読み込む。条件を満たす行動情報に対応するユーザＩＤを検索するということは、条件を満たす過去の行動に基づいて、特定の行動を行う確率が高いと予測される利用者のユーザＩＤを検索することを意味する。
【００４７】
広告配信手段２０７は、行動情報抽出手段２０６が検索した利用者の携帯端末１００に広告を配信する。すなわち、条件を満たす過去の行動から特定の行動を行うであろうと予測される利用者の携帯端末１００に広告を送信する。このとき、広告配信手段２０７は、配信管理手段２０５が広告配信条件ＤＢ記憶手段２０４から読み出した条件に対応する広告を携帯端末１００に送信すればよい。
【００４８】
また、広告配信サーバ２００は、行動情報抽出手段２０６が特定した利用者の携帯端末１００のアドレス（例えばメールアドレス）を、ユーザＩＤと対応付けて予め記憶装置に記憶させておけばよい。例えば、各携帯端末１００から予めユーザＩＤおよび携帯端末のアドレスを受信しておき、そのユーザＩＤおよびアドレスを対応付けて記憶装置に記憶させておけばよい。広告配信手段２０７は、行動情報抽出手段２０６が検索したユーザＩＤに対応するアドレスを読み込んで、そのアドレスを宛先として広告を送信すればよい。
【００４９】
また、携帯端末１００のアドレスをユーザＩＤとして用いてもよい。この場合、広告配信手段２０７は、ユーザＩＤとなっているアドレス宛に広告を送信すればよい。
【００５０】
次に、動作について説明する。以下に示す例では、携帯端末１００が開閉可能な折り畳み式の端末である場合を例にする。そして、携帯端末１００の行動内容収集手段１０２ａは、携帯端末を開く操作が行われると、「端末を開く」という行動内容を検出し、携帯端末を閉じる操作が行われると「端末を閉じる」という行動内容を検出する。また、定期的に（本例では３０分毎に）、「ある時にある場所にいる」ことを示す行動内容を特定する場合を例にして説明する。また、携帯端末１００が一定時間毎に行動情報をまとめて送信する場合を例にして説明する。
【００５１】
携帯端末１００が行動情報を送信する動作について説明する。図２は、携帯端末１００の行動情報送信動作の例を示すフローチャートである。まず、携帯端末１００の行動情報収集手段１０２は、利用者が携帯端末を操作したというイベントの発生時に、その行動情報を収集する（ステップＳ１１）。また、定期的（本例では３０分毎）に、「ある時にある場所にいる」ことを示す行動内容を特定する。以下の説明では、「ある時にある場所にいる」ことを示す行動内容を「３０分毎」と記すことがある。
【００５２】
具体的には、行動内容収集手段１０２ａは、携帯端末を開く操作が行われると、「端末を開く」という行動内容を検出し、携帯端末を閉じる操作が行われると「端末を閉じる」という行動内容を検出する。また、３０分毎に「ある時にある場所にいる」ことを示す行動内容を検出する。そして、行動内容収集手段１０２ａが各種行動内容を検出すると、時間特定手段１０２ｂが、行動内容が検出された日時を特定する。さらに、場所特定手段１０２ｃは、ＧＰＳ衛星から信号を受信し、ＧＰＳ衛星との位置関係に基づいて現在位置（緯度および経度）を算出する。
【００５３】
行動内容収集手段１０２ａが行動内容を検出し、時間特定手段１０２ｂがそのときの日時を特定し、場所特定手段１０２ｃがそのときの現在位置を算出すると、情報蓄積手段１０２ｄは、その行動情報（行動内容、日時、緯度および経度）を記憶装置１０４に記憶させる（ステップＳ１２）。
【００５４】
図３は、行動情報の例を示す説明図である。なお、図３では、ユーザＩＤとともに、各行動情報を示している。図３に例示する“ＵｓｅｒＡ”はユーザＩＤであり、その後に、行動内容（例えば「３０分毎」、「端末開く」等）、日時、緯度（例えば35°64′56″83等）、経度（例えば139°74′75″09等）を並べて示している。
【００５５】
また、行動情報送信手段１０１は、記憶装置１０４に記憶されているユーザＩＤおよび行動情報を送信するタイミングになったか否かを判定する（ステップＳ１３）。すなわち、行動情報送信手段１０１は、前回ユーザＩＤおよび行動情報を広告配信サーバ２００に送信してから一定時間経過したか否かを判定する。
【００５６】
前回のユーザＩＤおよび行動情報の送信後、未だ一定時間が経過していなければ（ステップＳ１３におけるＮＯ）、ステップＳ１１以降の処理を繰り返す。
【００５７】
また、前回ユーザＩＤおよび行動情報を広告配信サーバ２００に送信してから一定時間経過したならば（ステップＳ１３におけるＹＥＳ）、行動情報送信手段１０１は、記憶装置１０４に記憶されている行動情報をユーザＩＤとともに広告配信サーバ２００に送信する（ステップＳ１４）。また、行動情報送信手段１０１は、送信した行動情報を記憶装置１０４から削除する。
【００５８】
このように、イベント発生の度に（換言すれば、行動内容を検出する度に）行動情報を送信せず、一定時間の間に行動情報を記憶装置１０４に蓄積させ、一定時間毎にまとめて行動情報を送信することで、通信ネットワーク３００および広告配信サーバ２００の処理負荷を軽減することができる。また、携帯端末１００においても通信ネットワーク３００の応答を待つ回数を少なくすることができる。
【００５９】
次に、携帯端末１００がステップＳ１４で送信したユーザＩＤおよび行動情報を受信したときの広告配信サーバ２００の動作について説明する。図４は、ユーザＩＤおよび行動情報を受信した広告配信サーバ２００の動作の例を示す説明図である。
【００６０】
携帯端末１００がステップＳ１４でユーザＩＤおよび行動情報を広告配信サーバ２００に送信すると、広告配信サーバ２００の行動情報抽象化手段２０１は、そのユーザＩＤおよび行動情報を受信する（ステップＳ２１）。
【００６１】
次に、行動情報抽象化手段２０１は、受信した行動情報に含まれる日時、緯度および経度を抽象化する（ステップＳ２２）。具体的には、行動情報抽象化手段２０１は、日時に含まれる時刻を時間帯に変換し、日付を曜日に変換し、緯度および経度を、その緯度および経度の地点を含む領域の情報に変換する。
【００６２】
ここで、時間帯とは、一日２４時間を任意に区切った時間のまとまり（時間の範囲）である。本実施形態では、２４時間を３０分毎に区切り、時間帯を識別するための時間帯ＩＤで各時間帯を表す。本実施形態では、深夜３：００〜３：３０に対して時間帯ＩＤ“０”を割り当て、その後の各時間帯に対して値を１ずつ増やした時間帯ＩＤを定める場合を例にする。例えば、３：３０〜４：００の時間帯ＩＤは“１”であり、４：００〜４：３０の時間帯ＩＤは“２”である。行動情報抽象化手段２０１は、行動情報に含まれる時刻が属する時間帯の時間帯ＩＤを特定し、その時間帯ＩＤで、行動が行われた時間帯を表す。また、行動情報抽象化手段２０１は、各日付と曜日とを対応付けたカレンダー情報を予め保持し、行動情報に含まれる日付に対応する曜日を検索することにより、日付を曜日に変換する。
【００６３】
また、領域の情報として、例えば、昭和４８年７月１２日の行政管理庁告示第１４３号「統計に用いる標準地域メッシュ及び標準地域メッシュ・コード」で定められた地域メッシュコードを用いることができる。また、その地域メッシュコードの例として、例えば、基準地域メッシュ（第３次地域区画）がある。この基準地域メッシュは３次メッシュと呼ばれることもある。本実施形態では、領域の情報として、基準地域メッシュのコード（以下、３次メッシュコードと記す。）を用いる場合を例にして説明する。
【００６４】
行動情報抽象化手段２０１は、ステップＳ２２において、行動情報に含まれる緯度および経度を、その地点が属する３次メッシュコードに変換する。例えば、緯度および経度が、東京都港区のＪＲ（登録商標）田町駅構内に該当する緯度35°64′56″83、経度139°74′75″09である場合、その緯度および経度は5339-3670 という３次メッシュに変換される。5339-3670 は、ＪＲ田町駅を含む１ｋｍ四方のエリアであり、このエリア内であれば、どの位置を表す緯度および経度であっても5339-3670 に変換される。
【００６５】
行動情報抽象化手段２０１は、行動情報に含まれる緯度および経度を、以下のように３次メッシュコードに変換すればよい。行動情報抽象化手段２０１は、式（１）に示す乗算および除算を行い、その商をｐ、余りをａとする。
【００６６】
緯度×６０分÷４０分＝ｐ  余りａ                式（１）
【００６７】
式（１）により得られるｐは、２桁の値である。
【００６８】
行動情報抽象化手段２０１は、式（１）で得られる余りａを用いて、式（２）に示す除算を行い、その商をｑ、余りをｂとする。
【００６９】
ａ÷５分＝ｑ  余りｂ                式（２）
【００７０】
式（２）により得られるｑは、１桁の値である。
【００７１】
行動情報抽象化手段２０１は、式（２）で得られる余りｂを用いて、式（３）に示す乗算および除算を行い、その商をｑ、余りをｘとする。
【００７２】
ｂ×６０秒÷３０秒＝ｒ  余りｘ                式（３）
【００７３】
式（３）により得られるｒは、１桁の値である。
【００７４】
また、行動情報抽象化手段２０１は、経度を表す数字から１００度を減じて得られる２桁の数字をｓとし、その減算の端数（１度未満の値）をｃとする。
【００７５】
行動情報抽象化手段２０１は、上記の端数ｃを用いて、式（４）に示す乗算および除算を行い、その商をｔ、余りをｄとする。
【００７６】
ｃ×６０分÷７分３０秒＝ｔ  余りｄ                式（４）
【００７７】
式（４）により得られるｔは、１桁の値である。
【００７８】
行動情報抽象化手段２０１は、式（４）で得られる余りｄを用いて、式（５）に示す乗算および除算を行い、その商をｕ、余りをｙとする。
【００７９】
ｄ×６０秒÷４５秒＝ｕ  余りｙ                式（５）
【００８０】
行動情報抽象化手段２０１は、以上のようにして求めたｐ，ｓ，ｑ，ｔ，ｒ，ｕを、ｐｓｑｔｒｕの順に並べ、その結果得られる８桁の数字を３次メッシュコードとする。
【００８１】
図５は、抽象化された行動情報の例を示す説明図である。図５では、ユーザＩＤおよび抽象化された行動情報を示している。図５に示す例では、ユーザＩＤである“ＵｓｅｒＡ”の後に、行動内容（例えば「３０分毎」、「端末開く」等）、時間帯ＩＤ（例えば“２９”等）、曜日（例えば、金曜日を表す“Ｆｒｉ”等）、および３次メッシュコードを並べて示している。図３に例示するユーザＩＤおよび行動情報から、図５に例示するユーザＩＤおよび抽象化された行動情報を得ることができる。
【００８２】
ステップＳ２２の後、行動情報抽象化手段２０１は、ユーザＩＤおよび抽象化後の行動情報（本例では、行動内容、時間帯ＩＤ、曜日、３次メッシュコード）を行動抽象化情報ＤＢ記憶手段２０２に記憶させる（ステップＳ２３）。
【００８３】
図６は、行動抽象化情報ＤＢ記憶手段２０２が記憶する情報の例を示す説明図である。本実施形態では、行動抽象化情報ＤＢ記憶手段２０２は、ユーザＩＤと、時間帯ＩＤおよび曜日（行動が行われた時に関する情報）と、３次メッシュコード（行動が行われた場所に関する情報）と、行動内容と、回数とを記憶する。ここで、回数とは、ユーザＩＤと、行動情報（具体的には、行動が行われた時に関する情報、行動が行われた場所に関する情報、および行動内容）との組の重複する数である。すなわち、ユーザＩＤおよび行動情報を行動抽象化情報ＤＢ記憶手段２０２に記憶させるときに、現在までに行動抽象化情報ＤＢ記憶手段２０２に記憶させることとなったそのユーザＩＤおよびその行動情報の組の重複する回数である。行動情報抽象化手段２０１は、ユーザＩＤおよび行動情報を行動抽象化情報ＤＢ記憶手段２０２に記憶させるときに、この回数（図６参照）もあわせて記憶させてもよい。以下、この回数も行動抽象化情報ＤＢ記憶手段２０２に記憶させる場合を例にして説明する。ユーザＩＤ、行動内容、ステップＳ２２で求めた時間帯ＩＤ、曜日、３次メッシュコードの組が行動抽象化情報ＤＢ記憶手段２０２に記憶されていない場合、行動情報抽象化手段２０１は、そのユーザＩＤ、行動内容、時間帯ＩＤ、曜日、３次メッシュコードの組を行動抽象化情報ＤＢ記憶手段２０２に記憶に記憶させ、さらにその組に対応する回数の初期値“１”を行動抽象化情報ＤＢ記憶手段２０２に記憶に記憶させる。ユーザＩＤ、行動内容、ステップＳ２２で求めた時間帯ＩＤ、曜日、３次メッシュコードの組が既に行動抽象化情報ＤＢ記憶手段２０２に記憶されている場合、行動情報抽象化手段２０１は、その組に対応する回数の値を１インクリメントする。
【００８４】
次に、広告配信サーバ２００が広告を配信する動作について説明する。
まず、広告配信条件登録手段２０３が、広告配信条件ＤＢ記憶手段２０４に広告の配信対象とする利用者を特定するための条件と、行動情報が条件を満たす利用者のユーザＩＤの検索日時とを広告配信条件ＤＢ記憶手段２０４に記憶させる。
【００８５】
図７は、広告配信条件ＤＢ記憶手段２０４が記憶する情報の例を示す説明図である。本例では、広告配信条件ＤＢ記憶手段２０４は、条件および検索日時の他に、広告（配信内容）と、その広告を識別するための広告ＩＤと、広告の配信人数（広告を配信する人数の上限値）も記憶する。具体的には、広告配信条件ＤＢ記憶手段２０４は、図７に示すように、広告ＩＤ（カラムＤ１）と、検索日時を示す配信日および配信時間帯（カラムＤ２，Ｄ３）と、広告配信対象者を特定するための条件となる時間帯、曜日、３次メッシュコードおよび行動内容（カラムＤ４〜Ｄ７）と、配信人数（カラムＤ８）と、広告（カラムＤ９）とを対応付けて記憶する。カラムＤ４，Ｄ５に示す条件は、行動情報に含まれる時間帯および曜日に関する条件である。カラムＤ６に示す条件は、行動情報に含まれる３次メッシュコードに関する条件である。カラムＤ７に示す条件は、行動情報に含まれる行動内容に関する条件である。広告配信サーバ２００は、カラムＤ４〜Ｄ７の条件に合致する行動情報に対応する利用者の携帯端末に広告を送信する。
【００８６】
広告配信条件登録手段２０３は、例えば、広告主の端末（図示せず。）からの要求に応じて、図７に示すカラムＤ１〜Ｄ９（広告ＩＤ、配信日、配信時間帯、時間帯、曜日、３次メッシュコード、行動内容、配信人数、広告）の入力欄を有するＷｅｂページを広告主の端末に送信する。そして、その端末において各項目の情報が入力され、その端末が入力された各情報を広告配信サーバ２００に送信する。広告配信条件登録手段２０３は、その情報（広告ＩＤ、配信日、配信時間帯、時間帯、曜日、３次メッシュコード、行動内容、配信人数、広告）を受信し、広告配信条件ＤＢ記憶手段２０４に記憶させる。
【００８７】
図８は、広告配信サーバ２００が広告を配信する動作の例を示すフローチャートである。広告管理サーバ２００の配信管理手段２０５は、広告配信サーバ２００が備えるタイマ（図示せず。）によって、現在時刻が、各時間帯（例えば３：００を起点として２４時間を３０分毎に区切った時間帯）の開始時刻になると、現在の時間帯を配信時間帯とする条件が広告配信条件ＤＢ記憶手段２０４に記憶されているか否かを判定する（ステップＳ３０）。現在の時間帯を配信時間帯とする条件がなければ、次の時間帯の開始時に同様の判定（ステップＳ３０）を行う。現在の時間帯を配信時間帯とする条件があれば、配信管理手段２０５は、その条件およびその条件に対応する広告を読み込み、行動情報抽出手段２０６に渡す（ステップＳ３０におけるＹＥＳ）。そのような条件がなければ、現在時刻が各時間帯の開始時刻になったときに再度ステップＳ３０の判定を行う。
【００８８】
例えば、広告配信条件ＤＢ記憶手段２０４が図７に例示する情報を記憶していて、現在時刻が２００７年１０月５日の１１時３０分になったとする。この場合、広告配信条件ＤＢ記憶手段２０４には、２００７年１０月５日の時間帯１８（１１：３０〜１２：００に該当する。）に対応する条件が記憶されているので、配信管理手段２０５は、図７に例示する条件（時間帯“３２”、曜日“Ｆｒｉ”、３時メッシュコード“5339-3670 ”、行動内容“ＡＬＬ”）、およびその条件に対応する広告を読み込み、その条件および広告を行動情報抽出手段２０６に渡す。なお、“ＡＬＬ”は、行動情報に含まれる行動内容がどのような内容であっても、行動内容に関する条件を満たすことを意味している。
【００８９】
行動情報抽出手段２０６は、配信管理手段２０５から条件および広告を渡されると、行動情報がその条件を満たしている利用者のユーザＩＤを検索する（ステップＳ３１）。すなわち、行動情報抽出手段２０６は、行動抽象化情報ＤＢ記憶手段２０２に記憶された行動情報の中から条件を満たす行動情報を検索し、その行動情報に対応するユーザＩＤを行動抽象化情報ＤＢ記憶手段２０２から読み込む。図７のカラムＤ４〜Ｄ７に示すように、条件として時間帯“３２”、曜日“Ｆｒｉ”、３次メッシュコード“5339-3670 ”および行動内容“ＡＬＬ”が定められている場合、金曜日（Ｆｒｉ）の時間帯“３２（つまり１８：３０〜１９：００）”に３次メッシュコード“5339-3670 ”の領域で行動（「３０分毎」でもよい。）を行った利用者のユーザＩＤを検索する。
【００９０】
このとき、行動情報が条件を満たしている利用者の数が、配信人数（図７に示すカラムＤ８参照）で定められた数より多い場合、配信人数分のユーザＩＤを検索する。この場合、条件を満たす行動情報に対応付けられた回数（図６参照）の多い順にユーザＩＤを、配信人数分検索すればよい。すなわち、行動情報が条件を満たすユーザＩＤと回数の組を特定し、その回数が多い順に、配信人数分（図７に示す例では１００人分）のユーザＩＤを抽出すればよい。
【００９１】
このように、行動情報抽出手段２０６は、条件を満たす行動情報およびユーザＩＤの組のうち、行動情報に対応付けられた回数が多い組から優先的にユーザＩＤを検索する。すると、条件を満たす過去の行動に基づいて、特定の行動を行う確率がより高いと予測される利用者のユーザＩＤを検索することができる。
【００９２】
ユーザＩＤの検索に失敗した場合（ステップＳ３１におけるＮＯ）、広告配信サーバ２００は処理を終了する。一方、ユーザＩＤの検索に成功した場合、すなわち少なくとも１件のユーザＩＤを検索することができた場合（ステップＳ３１におけるＹＥＳ）、行動情報抽出手段２０６は、検索したユーザＩＤおよび配信管理手段２０５から渡された広告を、広告配信手段２０７に渡す。広告配信手段２０７は、そのユーザＩＤに対応する利用者の携帯端末１００のアドレス（例えばメールアドレス）を宛先として、その広告を送信する（ステップＳ３２）。なお、既に説明したように、例えば、広告配信サーバ２００は、ユーザＩＤと広告とを対応付けて予め記憶装置に記憶しておけばよい。そして、広告配信手段２０７は、ユーザＩＤに対応するアドレスをその記憶装置から読み込み、そのアドレスを宛先として広告を送信すればよい。
【００９３】
図９は、ステップＳ３２において広告配信手段２０７が送信した広告を受信する携帯端末１００の動作の例を示すフローチャートである。携帯端末１００の広告表示手段１０３は、広告配信サーバ２００（広告配信手段２０７）が通信ネットワーク３００を介して携帯端末１００宛に送信した広告を受信する（ステップＳ４１）。すると、広告表示手段１０３は、その広告を表示する（ステップＳ４２）。
【００９４】
本発明によれば、広告の配信対象とする利用者を特定するための行動情報に関する条件と、行動情報がその条件を満たしている利用者の利用者識別情報の検索日時とを対応付けて記憶する広告配信条件ＤＢ記憶手段２０４を備え、広告配信条件登録手段２０３が広告配信条件ＤＢ記憶手段２０４に条件および検索日時を記憶させる。そして、配信管理手段２０５は、現在時刻が検索日時となったときに、その検索日時に対応する条件を読み込み、行動情報抽出手段２０６は、行動情報がその条件を満たしている利用書のユーザＩＤを検索し、広告配信手段２０７がその利用者の携帯端末に広告を送信する。従って広告主は検索日時を所望の日時に設定することができる。その結果、利用者の過去の行動と広告主の所望の広告配信時期との時間間隔に依らずに、所望の時期に利用者の過去の行動に応じて広告を送信することができる。
【００９５】
また、行動内容収集手段１０２ａは、利用者が所定の場所に訪れたかどうかに依らずに、利用者の行動内容を収集する。そして、時間特定手段１０２ｂは、行動が行われた時に関する情報を特定し、場所特定手段１０２ｃは、行動が行われた場所に関する情報を特定する。行動情報送信手段１０１は、利用者の行動内容とその行動が行われた時および場所に関する情報を広告配信サーバ２００に送信する。行動情報抽象化手段２０１は、携帯端末１００が送信した行動情報およびユーザＩＤを行動抽象化情報ＤＢ記憶手段２０２に記憶させる。そして、行動情報抽出手段２０６は、行動情報が条件を満たしている利用書のユーザＩＤを検索し、広告配信手段２０７がそのユーザＩＤが示す利用者の携帯端末１００に広告を配信する。従って、携帯端末の利用者が広告配信時に所定の場所に訪れているか否かに依らず、所望の時期に利用者の過去の行動に応じて広告を配信することができる。
【００９６】
次に、本発明の概要について説明する。図１０および図１１は、本発明の広告配信装置の概要を示すブロック図である。また、図１２および図１３は、本発明の携帯端末の概要を示すブロック図である。
【００９７】
図１０に示すように、本発明の広告配信装置２００は、行動情報記憶手段２５１（例えば、行動抽象化情報ＤＢ記憶手段２０２）と、行動情報登録手段２５２（例えば、行動情報抽象化手段２０１）と、条件記憶手段２５３（例えば、広告配信条件ＤＢ記憶手段２０４）と、条件登録手段２５４（例えば、広告配信条件登録手段２０３）と、利用者検索手段２５５（例えば、行動情報抽出手段２０６）と、広告送信手段２５６（広告配信手段２０７）とを備える。
【００９８】
行動情報記憶手段２５１は、携帯端末の利用者が携帯端末を使用した記録を示す行動情報とその利用者の利用者識別情報とを記憶する。行動情報登録手段２５２は、携帯端末から利用者識別情報および行動情報を受信したときに、その利用者識別情報および行動情報を行動情報記憶手段２５１に記憶させる。
【００９９】
条件記憶手段２５３は、広告の配信対象とする利用者を特定するための行動情報に関する条件と、行動情報がその条件を満たしている利用者の利用者識別情報の検索日時とを対応付けて記憶する。条件登録手段２５４は、条件記憶手段２５３に条件と検索日時とを対応付けて記憶させる。
【０１００】
利用者検索手段２５５は、検索日時となったときに、行動情報がその検索日時に対応する条件を満たしている利用者の利用者識別情報を行動情報記憶手段２５１から検索する。そして、広告送信手段２５６は、利用者検索手段２５５が検索した利用者識別情報が示す利用者の携帯端末に広告を送信する。
【０１０１】
行動情報登録手段２５２は、利用者識別情報および行動情報を行動情報記憶手段２５１に記憶させるときに、現在までに行動情報記憶手段２５１に記憶させることとなったその利用者識別情報とその行動情報の組の重複回数とともに行動情報記憶手段２５１に記憶させることが好ましい。そして、利用者検索手段２５５は、行動情報が条件を満たしている利用者の利用者識別情報を検索するときに、その条件を満たす行動情報および利用者識別情報の組のうち、重複回数が多い組から優先的に利用者識別情報を検索することが好ましい。
【０１０２】
例えば、行動情報登録手段２５２が、携帯端末から、利用者が携帯端末に対して行った行動内容と、その行動が行われた時に関する情報と、その行動が行われた場所に関する情報とを行動情報として受信し、利用者識別情報とともに行動内容、その行動が行われた時に関する情報、およびその行動が行われた場所に関する情報を行動情報記憶手段２５１に記憶させ、条件登録手段２５４が、行動情報に含まれる行動内容、その行動が行われた時に関する情報、およびその行動が行われた場所に関する情報が満たすべき条件を条件記憶手段２５３に記憶させてもよい。
【０１０３】
例えば、行動情報登録手段２５２が、携帯端末から、利用者が携帯端末に対して行った行動内容と、その行動が行われた時刻と、その行動が行われた地点の情報とを受信し、その時刻をその時刻が属する時間帯の情報に変換し、その地点の情報をその地点が属する領域の情報に変換し、利用者識別情報とともに行動内容、時間帯の情報および領域の情報を行動情報記憶手段２５１に記憶させ、条件登録手段２５４が、行動情報に含まれる行動内容、その行動が行われた時間帯、およびその行動が行われた領域が満足すべき条件を条件記憶手段２５３に記憶させてもよい。
【０１０４】
領域の情報は、行政管理庁告示第１４３号で定められた地域メッシュコードであってもよい。
【０１０５】
例えば、携帯端末に対する行動が行われた地点の情報は緯度および経度であり、行動情報登録手段２５２は、緯度および経度に対して所定の演算を行って地域メッシュコードを算出する。
【０１０６】
また、例えば、図１１に示すように、広告配信装置２００が、領域の情報と、領域の緯度および経度の範囲とを対応付けて記憶する領域情報記憶手段２５６を備え、行動情報登録手段２５２が、携帯端末に対する行動が行われた地点に対応する領域の情報を領域情報記憶手段２５６から検索することにより、領域の情報を特定してもよい。
【０１０７】
行動情報登録手段２５２は、携帯端末から一定時間毎にまとめて送信される利用者識別情報および行動情報を受信してもよい。
【０１０８】
また、本発明の携帯端末１００は、条件に合致する利用者に広告を配信する広告配信装置から広告を受信する。携帯端末１００は、行動内容収集手段１５１（例えば、図１に示す行動内容収集手段１０２ａ）と、時間特定手段１５２（例えば、図１に示す時間特定手段１０２ｂ）と、場所特定手段１５３（例えば、図１に示す場所特定手段１０２ｃ）と、利用者識別情報記憶手段１５４（例えば、図１に示す記憶装置１０４）と、送信手段１５５（例えば、図１に示す行動情報送信手段１０１）とを備える。
【０１０９】
行動内容収集手段１５１は、利用者が行った行動内容を収集する。また、時間特定手段１５２は、利用者が行動を行った時を特定する。場所特定手段１５３は、利用者が行動を行った場所を特定する。利用者識別情報記憶手段１５４は、利用者識別情報を記憶する。送信手段１５５は、その利用者識別情報と、行動内容収集手段１５１が収集した行動内容と、時間特定手段１５２が特定した時と、場所特定手段１５３が特定した場所とを、広告配信装置に送信する。
【０１１０】
また、携帯端末１００は、情報を記憶する記憶手段１５６と、情報蓄積手段１５７とを備える。情報蓄積手段１５７は、行動内容収集手段１５１が収集した行動内容と、時間特定手段１５２が特定した時と、場所特定手段１５３が特定した場所とを記憶手段１５６に記憶させる。そして、送信手段１５５が、記憶手段１５６に記憶された情報を一定時間毎に利用者識別情報とともに送信してもよい。
【０１１１】
このような広告配信装置２００、携帯端末２００により、携帯端末の利用者が広告配信時に所定の場所に訪れているか否かに依らず、また、利用者の過去の行動と広告配信者の所望の広告配信時期との時間間隔に依らずに、所望の時期に利用者の過去の行動に応じて広告を配信することができる。
【産業上の利用可能性】
【０１１２】
本発明は、携帯端末に広告を配信する広告配信システムに好適に適用可能である。
【図面の簡単な説明】
【０１１３】
【図１】本発明の実施形態の広告配信システムを示すブロック図である。
【図２】携帯端末の行動情報送信動作の例を示すフローチャートである。
【図３】行動情報の例を示す説明図である。
【図４】ユーザＩＤおよび行動情報を受信した広告配信サーバの動作の例を示す説明図である。
【図５】抽象化された行動情報の例を示す説明図である。
【図６】行動抽象化情報ＤＢ記憶手段が記憶する情報の例を示す説明図である。
【図７】広告配信条件ＤＢ記憶手段が記憶する情報の例を示す説明図である。
【図８】広告配信サーバが広告を配信する動作の例を示すフローチャートである。
【図９】広告配信手段が送信した広告を受信する携帯端末の動作の例を示すフローチャートである。
【図１０】本発明の広告配信装置の概要を示すブロック図である。
【図１１】本発明の広告配信装置の概要を示すブロック図である。
【図１２】本発明の携帯端末の概要を示すブロック図である。
【図１３】本発明の携帯端末の概要を示すブロック図である。
【符号の説明】
【０１１４】
１００  携帯端末
１０１  行動情報送信手段
１０２  行動情報収集手段
１０２ａ  行動内容収集手段
１０２ｂ  時間特定手段
１０２ｃ  場所特定手段
１０２ｄ  情報蓄積手段
１０３  広告表示手段
１０４  記憶装置
２００  広告配信装置
２０１  行動情報抽象化手段
２０２  行動抽象化情報ＤＢ記憶手段
２０３  広告配信条件登録手段
２０４  広告配信条件ＤＢ記憶手段
２０５  配信管理手段
２０６  行動情報抽出手段
２０７  広告配信手段
【図１】
2009134361.tif 000003
【図２】
2009134361.tif 000004
【図３】
2009134361.tif 000005
【図４】
2009134361.tif 000006
【図５】
2009134361.tif 000007
【図６】
2009134361.tif 000008
【図７】
2009134361.tif 000009
【図８】
2009134361.tif 000010
【図９】
2009134361.tif 000011
【図１０】
2009134361.tif 000012
【図１１】
2009134361.tif 000013
【図１２】
2009134361.tif 000014
【図１３】
2009134361.tif 000015